(57)【特許請求の範囲】
【請求項１】
背景画上にメニュ項目を表す任意の文字表示とどのメニュ項目が選択されているかを表す付加表示とが行われるメニュ画面の表示データを、画像表示用の画像データ、該画像データとはデータ形式が異なる文字表示用のサブピクチャデータ、および上記付加表示用の付加表示データとを含むフォーマットで生成するメニュ画面データの生成装置であって、
上記メニュ項目を表す任意の文字のデータを上記画像データとして作成する画像データ作成手段を備え、
上記メニュ画面の表示データが、上記画像データ作成手段により作成された背景画とメニュ項目を表す任意の文字の画像とが含まれる画像データと、メニュ項目を表す任意の文字のデータが含まれないサブピクチャデータと、上記付加表示データと、から生成されることを特徴とするメニュ画面データの生成装置。
【請求項２】
画像データにフォントデータを重ねて出力することで表示画像上にフォント表示可能なフォント出力手段を備え、
上記画像データ作成手段は、上記フォント出力手段により背景画に任意の文字を重ねた画像データを作成するように構成されていることを特徴とする請求項１記載のメニュ画面データの生成装置。
【請求項３】
映像再生のため符号化された画像データを復号するデコーダと、映像録画のため画像信号を符号化するエンコーダとを備えた請求項２記載のメニュ画面データの生成装置において、
上記デコーダの出力を上記エンコーダの入力側に切り換え可能な第１スイッチ手段を有し、
上記画像データ作成手段は、符号化されている背景画を上記デコーダで復号するとともに、上記フォント出力手段によりフォントデータを重ねた後、該フォントデータが重ねされた画像信号を上記第１スイッチ手段の切換えにより上記エンコーダへ入力し、該エンコーダで符号化して上記背景画とメニュ項目を表す文字とが含まれる画像データを作成するように構成されていることを特徴とするメニュ画面データの生成装置。
【請求項４】
上記デコーダの出力に基づき再生信号が出力される再生信号出力ノードと上記デコーダとの間の信号パスを切断可能な第２スイッチ手段を備え、
上記デコーダからメニュ画面用の画像信号が出力されている間、上記第２スイッチ手段により上記信号パスが切断されるように構成されていることを特徴とする請求項３記載のメニュ画面データの生成装置。
【請求項５】
上記メニュ画面の表示データのフォーマットはＤＶＤビデオ規格に準じたフォーマットであることを特徴とする請求項１〜３の何れかに記載のメニュ画面データの生成装置。
【請求項６】
ＤＶＤビデオ規格のフォーマットで格納されたオーディオ・ビデオデータをデコードして音声信号および映像信号を出力するとともに、映像信号および音声信号をＤＶＤビデオ規格のフォーマットで記録可能なＤＶＤビデオ装置であって、
請求項１〜５の何れかに記載のメニュ画面データの生成装置を備えていることを特徴とするＤＶＤビデオ装置。
【発明の詳細な説明】
【０００１】
【発明の属する技術分野】
この発明は、例えばＤＶＤビデオレコーダやハードディスク・ビデオレコーダなどに搭載されているメニュ画面データの生成装置に関する。
【０００２】
【従来の技術】
近年、ＤＶＤビデオレコーダやハードディスク・ビデオレコーダなど、記憶容量が大きくランダムアクセスが可能な記憶媒体に映像や音声の録画を行うビデオ装置が開発されている。
【０００３】
このようなビデオ装置においては、例えば、録画されている複数の番組の中から所望の番組を簡単に選択して再生が始められるようにしたナビゲーション機能を設けるのが一般である。ナビゲーション機能では、例えば、画面上に録画番組の日時や番組名などが示された幾つかのメニュ項目が表示され、リモコン操作により何れかのメニュ項目を選択して所望の番組の再生を行う。また、メニュ項目の選択時には、選択されたメニュ項目がハイライト表示や枠表示が色付けされるなど、付加表示が加えられることでユーザに選択内容が認識されるようになっている。
【０００４】
また、録画データをＤＶＤ−ＲＡＭ、ＤＶＤ−Ｒ、或いはＤＶＤ−ＲＷのような可搬型の記憶媒体に格納するタイプでは、該記憶媒体を他の再生装置に移して同様に再生できるように、ナビゲーション用のメニュ画面のデータも可搬型の記憶媒体に格納し、他の再生装置で同様にナビゲーション機能が使えるような構成にされている。従って、このような装置のメニュ画面のデータのフォーマットは、他の再生装置でも同様にナビゲーション機能が使えるように、例えばＤＶＤビデオ規格など統一規格に準じたフォーマットで生成されるようになっている。
【０００５】
現在、よく使われているメニュ画面の規格においては、図４に示されるように、メニュ画面の背景画などを画像用のデータ形式で表したメイン画像データと、メニュ項目の文字などを例えばランレングスコード形式のサブピクチャフォントデータで表したサブピクチャデータと、選択状態又は非選択状態を表す付加表示を表したハイライト情報とから構成され、これらの異なる形式のデータから得られる３種類の画像（背景、サブピクチャ（文字）、ハイライト等の付加表示）を重ね合わせて表示させることで、１つのメニュ画面が表示されるように構成されている。
【０００６】
このようなメニュ画面のデータを生成する従来の技術としては、例えば、特開２０００−１３２９５３号公報や、特開平１１−２２５２９８号公報に開示の技術がある。
【０００７】
【発明が解決しようとする課題】
しかしながら、上記従来の技術では、ビデオレコーダで上記のメニュ画面のデータを生成するのに、メニュ項目を表す文字をサブピクチャデータで生成していたため、メニュ画面の生成のためだけに、サブピクチャ用のフォントデータやサブピクチャ形式にデータ変換するための専用のエンコーダやソフトウェアを必要としていた。
【０００８】
そのため、メニュ画面の生成機能を付加すると装置のコストが高騰するという問題があった。
【０００９】
この発明の目的は、統一されたフォーマットに準じながら安価にメニュ画面のデータ生成を行うことの出来るメニュ画面データの生成装置、並びに、そのような生成装置を備えたＤＶＤビデオ装置を提供することにある。
【００１０】
【課題を解決するための手段】
本発明は、上記目的を達成するため、背景画上にメニュ項目を表す任意の文字表示とどのメニュ項目が選択されているかを表す付加表示とが行われるメニュ画面の表示データを、画像表示用の画像データ、該画像データとはデータ形式が異なる文字表示用のサブピクチャデータ、および上記付加表示用の付加表示データとを含むフォーマットで生成するメニュ画面データの生成装置であって、上記メニュ項目を表す任意の文字のデータを上記画像データとして作成する画像データ作成手段を備え、上記メニュ画面の表示データを、背景画（無地の背景画も含む）とメニュ項目を表す任意の文字の画像とが含まれる画像データと、メニュ項目を表す任意の文字のデータが含まれないサブピクチャデータ（任意に変えられない固定文字が含まれていても良い）と、上記付加表示データと、から生成するような構成とした。
【００１１】
このような手段によれば、メニュ項目を表す任意の文字の画像を、サブピクチャデータとして作成するのではなく、画像データとして作成するので、サブピクチャフォントデータや、サブピクチャデータを作成する専用エンコーダなどが不要となり、コストの低減を図ることが出来る。
【００１２】
望ましくは、画像データにフォントデータを重ねて出力することで表示画像上にフォント表示可能なフォント出力手段（例えばＯＳＤ（On Screen Display）機能回路）を備え、上記画像データ作成手段は、上記フォント出力手段により背景画に任意の文字を重ねた画像データを作成するように構成すると良い。
【００１３】
一般的な映像装置には表示画像上に任意のフォント表示を行うＯＳＤ機能を備えるものが多い。そこで、上記手段のように、フォント出力手段を用いてメニュ項目を表す文字を含んだ画像データを作成することで、コストを高騰させずにメニュ画面のデータ作成が可能である。
【００１４】
さらに望ましくは、映像再生のため符号化された画像データを復号するデコーダと、映像録画のため画像信号を符号化するエンコーダとを備えた上記のメニュ画面データの生成装置において、上記デコーダの出力を上記エンコーダの入力側に切り換え可能な第１スイッチ手段を有し、上記画像データ作成手段は、符号化されている背景画を上記デコーダで復号するとともに、上記フォント出力手段によりフォントデータを重ねた後、上記第１スイッチ手段の切換えにより上記エンコーダへ入力し、該エンコーダで符号化して、上記背景画とメニュ項目を表す文字とが含まれる画像データを作成するように構成すると良い。
【００１５】
ＤＶＤビデオレコーダやデジタルビデオレコーダなどには、録画データを例えばＭＰＥＧ形式に変換するエンコーダや、再生時にＭＰＥＧ形式の画像データを復号するデコーダが備わる。そこで、上記手段によれば、そのようなエンコーダやデコーダを用いて効率よく背景画とメニュ項目の文字とが含まれた画像データを作成することが出来る。また、予め背景画を内部に格納しておく際にも、そのデータ容量を小さくしておくことが出来る。
【００１６】
また望ましくは、上記デコーダの出力に基づき再生信号が出力される再生信号出力ノードと上記デコーダとの間の信号パスを切断可能な第２スイッチ手段を備え、上記画像データ作成手段により上記デコーダからメニュ画面用の画像信号が出力されている間、上記第２スイッチ手段により上記信号パスが切断されるように構成すると良い。
【００１７】
メニュ画面の生成にデコーダを使用した場合、そのままではその映像信号が出力されてしまうが、第２スイッチ手段によりその出力を回避することが出来る。具体的には、上記メニュ画面の表示データのフォーマットはＤＶＤビデオ規格に準じたフォーマットである。
【００１８】
また、本発明に係るＤＶＤビデオ装置は、ＤＶＤビデオ規格のフォーマットで格納されたオーディオ・ビデオデータをデコードして音声信号および映像信号を出力するとともに、映像信号および音声信号をＤＶＤビデオ規格のフォーマットで記録可能なＤＶＤビデオ装置であって、上述のメニュ画面データの生成装置を備えている構成である。
【００１９】
【発明の実施の形態】
以下、本発明の実施の形態を図面に基づいて説明する。
図１は、本発明の実施の形態のＤＶＤビデオレコーダの全体構成を示すブロック図である。
この実施の形態のＤＶＤビデオレコーダは、ＤＶＤビデオ規格に準じて映像音声の再生、録画、メニュ画面の再生出力とその操作制御、および、メニュ画面データの生成と記録とがそれぞれ可能な装置である。また、このＤＶＤビデオレコーダには、出力映像のチャプター番号や音声種別を表すリストなどを画像上に重ねて表示するＯＳＤ機能も備わっている。上記の各機能のうち、再生、録画、メニュ画面の再生出力と操作制御、並びに、ＯＳＤ処理については、従来のＤＶＤビデオレコーダに備わるものと同様のものである。
【００２０】
この実施の形態のＤＶＤビデオレコーダには、図１に示すように、アンテナからの信号を選択するチューナ１０、オーディオ・ビデオ入力信号とチューナ１０からの信号との何れかを選択するセレクタ１１、オーディオ信号をデジタルにするＡＤコンバータ１２、ビデオ信号を輝度信号と色信号に分離してデジタル化するＹ／Ｃ分離＆ＡＤコンバータ１３、ＲＧＢビデオ信号を所定形式の輝度信号と色信号に変換するビデオコンバータ１４、デジタルのオーディオ信号をアナログに変換するＤＡコンバータ１５、デジタルのオーディオ信号とビデオ信号をＭＰＥＧ（Motion Picture Experts Group）等のデータ形式に圧縮するとともにＤＶＤビデオ規格のフォーマットに変換するＡＶエンコーダ１６、オーディオ信号のエンコードとビデオ信号のエンコードとの作業用メモリとしてそれぞれ用いられるＳＤＲＡＭ（Synchronous Dynamic Random Access Memory）１７，１８、ＤＶＤビデオ規格の映像音声データやメニュ画面データのデコード等を行うＡＶデコーダ１９、これらデコード処理の作業用メモリであるＳＤＲＡＭ２０、ビデオディスクＤ１を回転させるディスクモータ２３ａやデータの読み書きを行うヘッド部２３ｂを有するディスクドライブ２３、ディスクドライブ２３にコマンドを出力したりデータをやり取りしたりするドライブインターフェース２１、書き込みデータや読出しデータのバッファとして用いられるＳＤＲＡＭ２２等が設けられている。
【００２１】
また、このＤＶＤビデオレコーダには、主に映像音声のデータ処理系ブロックの制御を行う主制御部２４、メニュ画面の背景画の圧縮データやＯＳＤ機能に使うＯＳＤ用フォントデータ等が格納されたフラッシュメモリ２５、各種設定データが保存されるＥＥＰＲＯＭ（Electrically Erasable and Programmable ROM）２６、チューナ１０の選局やタイマー制御および操作パネルの入出力制御を行う副制御部２７、操作パネルに設けられユーザの操作を受ける各種操作キー２８、リモコン信号を受ける受光部２９、操作パネルに設けられユーザに動作内容等が表示される表示部３０、ＡＶエンコーダ１６の映像入力用端子をＹ／Ｃ分離＆ＡＤコンバータ１３側とＡＶデコーダ１９の出力側とで切り換える第１スイッチＳＷ１、ＡＶデコーダ１９の出力を映像音声信号の外部出力側から切断して入力映像音声信号を外部出力側に接続可能な第２と第３のスイッチＳＷ２，ＳＷ３等が設けられている。
【００２２】
上記構成のうち、主制御部２４と、ＡＶデコーダ１９と、フラッシュメモリ２５とによりフォント表示手段が構成され、ＯＳＤ機能が実現される。また、主制御部２４と、ＡＶデコーダ１９と、第１スイッチＳＷ１と、ＡＶエンコーダ１６と、フラッシュメモリ２５と、ドライブインターフェース２１等が連携して、メイン画像データを作成する画像データ作成手段、並びに、メニュ画面データを生成するメニュ画面データの生成手段（生成装置）が構成される。
【００２３】
ＡＶデコーダ１９は、ＤＶＤビデオ規格の映像音声データをデコードして、ビデオ信号と、ＰＣＭ（Pulse Code Modulation）形式のオーディオ信号とを生成するとともに、ＤＶＤビデオ規格のメニュ画面データのうち圧縮されたメイン画像データやハイライト情報の展開や、翻訳文字の表示の際などに行われる文字等がランレングスコードで表されているサブピクチャデータのデコードを行う。さらには、主制御部２４の制御に基づき、ＡＶデコーダ１９において復号された画像データにフラッシュメモリ２５に格納されたＯＳＤ用フォントデータが重ねられるＯＳＤ処理も行われるようになっている。
【００２４】
上記のような構成のＤＶＤビデオレコーダによれば、ユーザの再生操作に基づき副制御部２７から主制御部２４にコマンド信号が出力されると、これに基づき主制御部２４がドライブインターフェース２１をコントロールして、ビデオディスクＤ１から所定のデータファイルを読み出す。そして、このデータファイルがＡＶデコーダ１９に転送されてデコードされることで、映像音声の再生やメニュ画面の表示が行われる。そして、映像再生時にユーザがテンキー等を操作することで再生するチャプターが切り換えられたり、また、メニュ画面の再生時にカーソルキーや決定キーを操作することでメニュ画面の選択メニューが移動・決定され、決定された選択メニューに対応した映像が再生されたりする。また、例えば、再生映像の切り換えや音声切替が行われた場合には、主制御部２４がフラッシュメモリ２５からそのチャプター番号や、音声種別を示したリストを表すためのＯＳＤ用フォントデータを読み出して映像データに重ね合わせることで、このチャプター番号や音声種別のリストがＯＳＤ表示される。
【００２５】
また、ユーザが録画操作をして副制御部２７から主制御部２４にコマンド信号が出力されると、これに基づき主制御部２４がＡＶエンコーダ１６をアクティブにして入力された映像音声信号のエンコード処理が開始される。同時に、主制御部２４がドライブインターフェース２１をコントロールして、ＡＶエンコーダ１６から出力されるエンコードデータがディスクドライブ２３に転送され、ビデオディスクＤ１に書き込まれていく。
【００２６】
また、録画処理の終了時には、フラッシュメモリ２５に格納された制御プログラムに従って、主制御部２４により、メニュ画面データの生成処理が自動的に実行される。メニュ画面データの生成処理が開始されると、先ず、主制御部２４は制御信号を出力して第１スイッチＳＷ１を接点ｂ側に、第２と第３スイッチＳＷ２，ＳＷ３を接点ｃと接点ｅ側に切り換える。さらに、主制御部２４は副制御部２７へ録画開始と録画終了の時刻データおよびチャンネルデータの送信コマンドを出力し、これらのデータを受信する。また、ビデオディスクＤ１に過去録画されていた番組の録画開始と録画終了の時刻データおよびチャンネルデータとそれに対応している録画ファイルのファイル名とをビデオディスクＤ１から読み出す。そして、これらのデータに基づき、録画番組のインデックスを一覧表示するメニュ画面データを次のように生成する。
【００２７】
図２には、実施の形態のＤＶＤビデオレコーダにおいて生成されるメニュ画面のデータ構成の説明図を、図３には、メイン画像データのデータ生成過程の説明図を、それぞれ示す。
メニュ画面データは、ＤＶＤビデオ規格に準じて、メイン画像データ、サブピクチャデータ、付加情報としてのハイライト情報とから構成される。
【００２８】
メイン画像データは画像データを圧縮した形式のデータであり、この実施の形態では、図２に示されるように、背景画とメニュ項目となる録画番組のインデックスとなる文字（チャンネル数や録画開始終了時間など、図２では「１  Ａ〜Ｇ」、「２  Ｈ〜Ｎ」、「３  ＯＰＱ」と示す）の画像とが含まれた構成となる。また、メニュ項目の横に、番組の１場面を表したサムネイル画像ＳＮ１〜ＳＮ３を挿入するようにしても良い。
【００２９】
このメイン画像データは次のようにして作成される。すなわち、先ず、予めフラッシュメモリ２５に圧縮形式で格納されている背景画のデータをＡＶデコーダ１９に転送して展開する。次に、図３に示されるように、この展開された背景画データの上に、フラッシュメモリ２５から読み出したＯＳＤ用のフォントデータを重ねて録画番組のインデックスとなる文字の画像を挿入する。その後、この画像信号をＡＶデコーダ１９から出力して、第１スイッチＳＷ１による接続によりＡＶエンコーダ１６に入力する。そして、ＡＶエンコーダ１６で圧縮処理してメイン画像データが作成される。
【００３０】
そして、このメイン画像データが、ドライブインターフェース２１のＳＤＲＡＭ２２に転送され、主制御部２４がメニュ画面のメイン画像データとしての情報を付加した上で、ディスクドライブ２３に送ってビデオディスクＤ１に書き込まれる。
【００３１】
メニュ画面のサブピクチャデータは文字を表すためのデータであるが、この実施の形態では、メニュ項目を表す文字はＯＳＤ機能によりメイン画像データ中に含めてしまうため、サブピクチャデータにメニュ項目を表す文字は含まれない。従って、この実施の形態では新たなサブピクチャデータの作成は行わない。ただし、ハイライト表示を行うために何らかのサブピクチャデータが必要であるので、何も文字が表示されない固定のサブピクチャデータをフラッシュメモリ２５に予め用意しておき、これをビデオディスクＤ１に書き込む。なお、サブピクチャデータには、その都度変わる文字を含めることは出来ないが、例えば図２の「Ｔｉｔｌｅ  Ｍｅｎｕ」など、固定の文字が含まれるようにしても良い。
【００３２】
ハイライト情報は、メニュ画面の選択／非選択状態を示すものであるが、この実施の形態では、メニュ画面のフォーマットはメニュ項目が一行ずつ、所定行に行われるようなフォーマットに固定されているので、選択／非選択状態を表すハイライト表示の位置もメニュ項目が表示される各行に固定される。従って、主制御部２４は、ハイライト情報を簡単に生成することができ、このハイライト情報をビデオディスクＤ１に書き込む。
【００３３】
以上のような処理が行われて、メニュ画面の生成とビデオディスクＤ１への書き込み処理が完了する。メニュ画面の再生時には、図２の３種類のデータがＡＶデコーダでそれぞれ別個にデコードされ１つに重ね合わされることで、メニュ画面として出力される。また、このように生成されたメニュ画面のデータ形式は一般的なＤＶＤビデオ規格に準じた３種類のデータを合わせた形式になっているので、他の一般的なＤＶＤ再生装置で再生しても、同様にメニュ画面が表示され、メニュ項目の選択も同様に行えるようになっている。
【００３４】
以上のように、この実施の形態のＤＶＤビデオレコーダによれば、メニュ画面データの生成の際、メニュ項目を表す任意の文字の画像を、サブピクチャデータとして生成するのではなく、メイン画像データとして生成するので、サブピクチャ用のフォントデータやサブピクチャデータを生成する専用エンコーダなどが不要となり、その分、コストの低減を図ることが出来る。
【００３５】
すなわち、従来のようにメニュ項目の文字をサブピクチャデータとして生成する場合には、例えばフラッシュメモリ２５にＯＳＤフォントとは別にサブピクチャ用のフォントデータを格納しておき、さらに、ＡＶエンコーダやドライブインターフェース２１の周辺にサブピクチャ用のエンコーダを設けるか、或いは、主制御部４１のソフトウェア処理によりサブピクチャ用のエンコード処理を行う必要があるが、本実施の形態ではそれらが不要となる。
【００３６】
また、チャプター表示など他の処理に必要なＯＳＤ機能を用いてメニュ画面データに文字画像データを挿入するので、低コストにメニュ画面データの生成を行うことが出来る。
【００３７】
また、メニュ画面のメイン画像データをＯＳＤ文字を挿入して作成するのに、再生用のＡＶデコーダと録画用のＡＶエンコーダを利用して作成するので、予め格納しておく必要のある背景画のデータを圧縮しておけるとともに、効率的に文字挿入を行いメイン画像データを作成することが出来る。
【００３８】
また、メイン画像データの作成中に、ＡＶデコーダ１９からその画像データが出力されるが、第２と第３スイッチＳＷ２，ＳＷ３がＡＶデコーダ１９の出力端子を外部出力側から切断するので、作成中の画像の信号が外部に出力されてしまうのを回避できる。
【００３９】
なお、本発明は、上記実施の形態に限られるものではなく、様々な変更が可能である。例えば、メニュ画面の内容として、録画番組のうち再生するものを選択するためのメニュ画面を例示したが、電源オフやディスクの取り出し再生方式等を選択するメニュ画面など、メニュの内容は特に制限されるものではない。
【００４０】
【発明の効果】
以上説明したように、本発明に従うと、ビデオレコーダ等においてサブピクチャデータが含まれるフォーマットのメニュ画面データを低コストの構成で効率よく生成することが出来るという効果がある。
【図面の簡単な説明】
【図１】本発明の実施の形態のＤＶＤビデオレコーダの全体構成を示すブロック図である。
【図２】実施の形態のＤＶＤビデオレコーダにおいて生成されるメニュ画面のデータ構成を説明する図である。
【図３】図２のメイン画像データのデータ生成過程を説明する図である。
【図４】従来のメニュ画面のデータ構成を説明する図である。
【符号の説明】
１２    ＡＤコンバータ
１３    Ｙ／Ｃ分離＆ＡＤコンバータ
１４    ビデオコンバータ
１５    ＤＡコンバータ
１６    ＡＶエンコーダ
１９    ＡＶデコーダ
２１    ドライブインターフェース
２３    ディスクドライブ
２４    主制御部
２５    フラッシュメモリ
Ｄ１    ビデオディスク
ＳＷ１  第１スイッチ
ＳＷ２  第２スイッチ
ＳＷ３  第３スイッチ
【図１】
0004334789.tif 000002
【図２】
0004334789.tif 000003
【図３】
0004334789.tif 000004
【図４】
0004334789.tif 000005